(57)【要約】      （修正有）【課題】回路基板に直交に実装され、実装面積を減少させるようになっているカード用コネクタを提供する。【解決手段】コネクタ本体と、導電端子と、フレームと支持部材と排出機構とを含む。前記コネクタ本体は、先端部を有する基部と、該基部の長手方向端部から直交に延在するように形成された一対の延出アームと、基部の長手側から延在するように形成されていて、一対の延出アームの間に位置していて、且つ端子溝が形成された対応接触部とを含む。前記導電端子はコネクタ本体の端子溝に装着され、接触部と、回路基板に半田付けされる半田付け部と、固持部とを有していて、半田付け部の位置する面が前記コネクタ本体の先端部と平行する。当該カード用コネクタは回路基板に直交に実装され、前記収容空間の延在方向は回路基板に直交する。こうして、中継接続用基板が省略され、コネクタの実装面積が減少し、回路基板の回路ラインの配置に有利になる。【選択図】図６
0003116276.tif 000002
【実用新案登録請求の範囲】
【請求項１】
先端部を有する基部と、該基部の長手方向端部から直交に延在するように形成された一対の延出アームと、基部の長手側から延在するように形成されていて、一対の延出アームの間に位置していて、且つ端子溝が形成された対応接触部とを含むコネクタ本体と、
該コネクタ本体の端子溝に装着され、接触部と、回路基板に半田付けされる半田付け部と、前記接触部と半田付け部とを連接する固持部とを有していて、半田付け部の位置する面が前記コネクタ本体の先端部と平行する導電端子と、
頂壁と、底壁と、左右側壁と、これらの壁からなっていてカードを収容する収容空間と、前記コネクタ本体に係合する頭部とを有するフレームと、
前記フレームの側壁に組み付けられる支持部材と、
前記フレームの側壁に組み付けられ、カードを排出するのに用いられる排出機構とを含むカード用コネクタであって、当該カード用コネクタが回路基板に直交に実装され、前記収容空間の延在方向が回路基板に直交することを特徴とする、カード用コネクタ装置。
【請求項２】
前記コネクタ本体とフレームの頭部との間に、ロック機構を有することを特徴とする、請求項１に記載のカード用コネクタ装置。
【請求項３】
前記フレームは一体に形成されていることを特徴とする、請求項２に記載のカード用コネクタ装置。
【請求項４】
前記ロック機構は、コネクタ本体に形成された凹部と、前記フレームの頭部に形成されていて、前記凹部に係合するようになっている係止片とからなることを特徴とする、請求項３記載のカード用コネクタ装置。
【請求項５】
前記収容空間の挿着口は、パソコンのケースの外壁に配置されるようになっていることを特徴とする、請求項４記載のカード用コネクタ装置。
【請求項６】
前記コネクタ本体の先端部には、回路基板に接続されるようになっている凸柱部と、固持片とが形成されていることを特徴とする、請求項１記載のカード用コネクタ装置。
【請求項７】
前記カード用コネクタに挿入されるカードは、エクスプレス（Ｅｘｐｒｅｓｓ）カードであることを特徴とする、請求項１記載のカード用コネクタ装置。
【考案の詳細な説明】
【技術分野】
【０００１】
本考案は、カード接続に使用されるカード用コネクタに関し、特に、エクスプレス（Ｅｘｐｒｅｓｓ）カード用コネクタに関するものである。
【背景技術】
【０００２】
現在、パソコンの拡張可能性の要求を満たすために、近年のパソコンには、その内部の情報処理回路のバスに対して各種の機能拡張カードを着脱できるようになっている。このような機能拡張カードとして現在実用化されているものとしては、例えば、情報処理回路の外部記憶媒体として用いられるＩＣカードやハードディスクカード、情報処理回路と通信網間の通信を仲介するＬＡＮ（ローカルエリアネットワーク）カードや、モデムカード、ＳＣＳＩインタフェースを内蔵したＳＣＳＩカード、デジタルカメラを内蔵したカメラカード等が列挙される。これらの機能拡張カードは、「ＰＣカード」と総称される。
【０００３】
現在、ＰＣカードの規格に関しては、ＰＣＭＣＩＡ（Ｐｅｒｓｏｎａｌ Ｃｏｍｐｕｔｅｒ Ｍｅｍｏｒｙ Ｃａｒｄ Ｉｎｔｅｒｎａｔｉｏｎａｌ Ａｓｓｏｃｉａｔｉｏｎ）の定める標準により、規格統一がなされている。また、２００３年には、ＰＣＭＣＩＡは、新しい規格に符合するＰＣカードとしてのエクスプレス（Ｅｘｐｒｅｓｓ）カードの規格が初めて定められた。このような規格のエクスプレスカードはカードの幅の寸法によって、３４ｍｍ（Ｅｘｐｒｅｓｓ  Ｃａｒｄ/３４）と、５４ｍｍ（Ｅｘｐｒｅｓｓ  Ｃａｒｄ/５４）のタイプに種類分けされている。
【０００４】
前記エクスプレスカードの幅は小さいとはいえ、回路基板に横設すれば所定の実装面積を占めることにより、パンコソの小型化の発展傾向に十分に対応できない。そこで、エクスプレスカード用コネクタを回路基板に実装する方式を変更することが、必要とされる。
【考案の開示】
【考案が解決しようとする課題】
【０００５】
しかしながら、従来のカード用コネクタは、回路基板に直交に実装される場合、カード用コネクタの導電端子が中継接続用基板にそれぞれ半田付けされ、中継接続用基板を介して回路基板との接続が達成される。そこで、部品点数が多くなり、製造コストが増大し、且つ信号の伝送品質が影響される恐れがある。
【０００６】
そこで、本考案は、以上の点に鑑みて、改良された新型のカード用コネクタを提供することを目的とする。
【０００７】
本考案は、回路基板に直交に実装され、実装面積を減少させるようになっているカード用コネクタを提供することを目的とする。
【課題を解決するための手段】
【０００８】
前記目的を達成するために、本考案のカード用コネクタは、コネクタ本体と、導電端子と、フレームと、支持部材と、排出機構とを含む。前記コネクタ本体は、先端部を有する基部と、該基部の長手方向端部から直交に延在するように形成された一対の延出アームと、基部の長手側から延在するように形成されていて、一対の延出アームの間に位置していて、且つ端子溝が形成された対応接触部とを含む。前記導電端子はコネクタ本体の端子溝に装着され、接触部と、回路基板に半田付けされる半田付け部と、前記接触部と半田付け部とを連接する固持部とを有していて、半田付け部の位置する面が前記コネクタ本体の先端部と平行する。前記フレームは頂壁と、底壁と、左右側壁と、これらの壁からなっていてカードを収容する収容空間と、前記コネクタ本体に係合する頭部とを有する。前記支持部材はフレームの側壁に組み付けられ、前記排出機構はフレームの側壁に組み付けられて、カードを排出するのに用いられる。当該カード用コネクタは回路基板に直交に実装され、前記収容空間の延在方向は回路基板に直交する。
【考案の効果】
【０００９】
従来の技術に比べると、本考案は以下のような利点を有している。すなわち、前記カード用コネクタが回路基板に直交に実着され、こうして、中継接続用基板が省略され、コネクタの実装面積が減少し、回路基板の回路ラインの配置に有利になるという利点である。
【考案を実施するための最良の形態】
【００１０】
以下、本考案のカード用コネクタ（以下、単に「コネクタ」と略称する）の有利な実施の形態について、添付図面を参照して説明する。図１は、本考案によるコネクタ１の１実施形態を示す組合せ斜視図であり、図２は、本考案によるコネクタの１実施形態を示す分解斜視図である。当該コネクタは、コネクタ本体１と、このコネクタ本体１に装着される導電端子２と、支持部材３、３’と、排出機構４と、フレーム５とを有する。カードはエクスプレスカードである。
【００１１】
まず、最初に図1及び図５を参照しながら、コネクタ本体１について詳細に説明する。該コネクタ本体１は、矩形状を呈する基部１１と、該基部１１の長手方向の端部からそれぞれ直交するように延在する一対の延出アーム１２と、両延出アーム１２の間に基部１１の長手側から延在するように形成された対応接触部１４とを含む。前記対応接触部１４には、コネクタ本体１を前後方向に貫通する複数の端子溝１４０が互いに平行に形成されていて、前記基部１１の先端部１１０には円柱体を呈する凸柱部１６と、該凸柱部１６に近接した固持片１５とがそれぞれ一対設けられている。前記一対の延出アーム１２の相対する内側には、カードの挿入に際して当該カードを案内するのに用いられるガイド溝１３がそれぞれ形成され、延出アーム１２の外側面には複数の凹部１７、１８、１９がそれぞれ形成される。両ガイド溝１３の下壁１３１の幅が上壁１３２よりも広く構成されているので、カードの誤挿着を防止できる。
【００１２】
次に、図２を参照しながら、導電端子２について詳細に説明する。該導電端子２は、前記コネクタ本体１に形成された複数の端子溝１４０に対応するように装着され、各導電端子２は、カード（図示せず）の導電パッドに電気的に接続する接触部２１と、回路基板６（図６に示す）に半田付けされる半田付け部２２と、前記接触部２１と半田付け部２２とを連接し且つコネクタ本体１の端子溝１４０内に固持される固持部２３とを備えている。導電端子２がコネクタ本体１の端子溝１４０に装着されている場合、半田付け部２２の面は、コネクタ本体１の基部１１の先端部１１０と平行して位置している。
【００１３】
次に、図２及び図３を参照しながら、金属板からなる支持部材３、３’について詳細に説明する。支持部材３は、開口３５、３６が設けられた主体部３１と、該主体部３１の長手方向の両端部にそれぞれ直交に延在する突出片３２と、スリット（参照符号なし）が形成された保持片３４とを有しており、前記突出片３２には、上向きに垂直に延在する垂直片３３が設けられている。他の支持部材３’の構造は、前記保持部材３の主体部３１と同一であるため、更に詳細には説明しない。
【００１４】
次に、図２及び図３を参照しながら、金属板からなるフレーム５について詳細に説明する。フレーム５は、頂壁５１と、頂壁５１の左右側が下向きに折り曲げられて形成された、左右の両側壁５２、５３と、前記頂壁５１及び側壁５２、５３に一体成形された、頂壁５１に対向する底壁５４とを含む。前記頂壁５１と、両側壁５２、５３と、底壁５４とは、挿着されたカードを収容する収容空間５７を形成しており、該収容空間５７の挿着口がパソコンのケースの外壁（図示せず）に配置されることにより、カードを外部からコネクタに挿入できる。前記頂壁５１と底壁５４との側壁５２、５３に近接した箇所には、凹片５１１、５４１が仕切りとして形成されているので、カードの挿入を案内することができる。左右の両側壁５２、５３には、保持部材３、３’と排出機構４とに設けられる開口に係合できる弾性片５２１、５２２、５２３、５２４、５２５が形成される。
【００１５】
前記底壁５４は、頂壁５１よりも頭部が大きく、該頭部の両側に左右の両側壁５５、５６が上向きに折り曲げられて形成されている。両側壁５５、５６は前記側壁５２、５３の外側に位置し、係止片５５１、５６１と凸部５５２、５５３、５６２、５６３とがそれぞれ設けられている。底壁５４と側壁５５、５６とが連接している箇所には、スロット５４２がそれぞれ形成されている。
【００１６】
次に、図２及び図４を参照しながら、排出機構４について詳細に説明する。排出機構５は前記フレーム５の左側壁５２に組み付けられ、弾性ばね４１と、連動部材４２と、イジェクトレバー４３と、ベース４４と、スライド部材４５とを含む。連動部材４２は、その一端に上向きに折り曲げられて形成された支持片４２１と、他端に形成された切り欠き部４２３と、前記支持片４２１に近接した箇所に形成された孔４２２とを備えている。イジェクトレバー４３は、両端部にそれぞれ上向きに延在する接触片４３１が形成されていて、一方の端部に折曲片４３２が形成されている。ベース４４は、心臓形を呈するレール４４１と、フレーム５の弾性片５２１に係合できるようになっている開口４４２と、突出部４４３と、支持部４４４とを有する。
【００１７】
前記排出機構４の弾性ばね４１は、その一端が連動部材４２に係合し、他端が支持部材３の垂直片３３に係合する。前記連動部材４２は、一端がベース４４の突出部４４３の開口（図示せず）を貫通し且つベース４４において前後方向に移動可能に設けられ、他端の支持片４２１は、前記保持部材３の保持片３４に形成されたスリットを貫通する。前記スライド部材４５は、その一端が、前記連動部材４２に形成された孔４２２を挿通するようになっており、他端が、心臓形を呈するレール４４１内において摺動可能に収容されている。これにより、前記スライド部材４５は、前記連動部材４２の、前後方向への移動に従って、心臓形を呈するレール４４１内で摺動することができる。イジェクトレバー４３は、前記フレーム５のスロット５４２を貫通することにより、コネクタ本体１とフレーム５との間に配置され、折曲片４３２が前記連動部材４２の切り欠き部４２３に係合することにより、連動部材４２に連接する。
【００１８】
前記排出機構４は、所謂、プッシュ・プッシュ操作によって、カードの排出を行う。イジェクトレバー４３は、初期位置では前記コネクタ本体１の長手方向に対して所定の角度を成している。カードがコネクタに挿入される時、カードの先端部は前進してイジェクトレバー４３を移動させる。該イジェクトレバー４３は、前記連動部材４２に連接しているので、該連動部材４２を前記挿入方向に移動させる。前記スライド部材４５は連動部材４２に連接しているので、該連動部材４２の移動に従って、心臓形状を呈する前記レール４４１の固持位置に摺動される。同時に、前記弾性ばね４１が弾性変形し、カードと導電端子２との間に電気的な接触が達成できる。
【００１９】
前記カードは、コネクタから排出される時、もう一度前進させられる。前記スライド部材４５は、心臓形状を呈する前記レール４４１の固持位置を越えてから、前記弾性ばね４１の回復力により、前記連動部材４２を通じて前記イジェクトレバー４３を移動させ、前記カードがコネクタから排出される。
【００２０】
取付ける際には、前記フレーム５の係止片５５１、５６１がコネクタ本体１の凹部１７にそれぞれ係合すると共に、凸部５５２、５５３がコネクタ本体10の凹部１８、１９にそれぞれ係合することにより、前記フレーム５がコネクタ本体１に固持される。保持部材３、３’は、前記フレーム５の弾性片５２３、５２４、５２５が開口３５、３６内に係止することにより、フレーム５に固持される。
【００２１】
図６を参照すると、取付けた状態では、前記コネクタ本体１に設けられた凸柱部１６は、回路基板６に形成された空洞（図示せず）に挿通され、固持片１５が回路基板６に半田付けされる。同時に、導電端子２の半田付け部２２が回路基板６に半田付けされることにより、コネクタが回路基板６に直交に実装される。こうして、中継接続用基板が省略され、コネクタの実装面積が減少し、回路基板６の回路ラインの配置に有利になる。
【００２２】
以上、本考案について最良の実施の形態を参照して詳細に説明したが、この実施形態はあくまでも例示的なものであり、これらに限定されるものではない。また前記の説明は、本考案に基づきなしうる細部の修正或いは変更なども含め、いずれも本考案の請求範囲に属するものとする。
【図面の簡単な説明】
【００２３】
【図１】本考案に係るカード用コネクタの組合せの斜視図である。
【図２】本考案に係るカード用コネクタの分解斜視図である。
【図３】本考案に係るカード用コネクタのコネクタ本体と排出機構とフレームとが組み付けられていない状態を示す斜視図である。
【図４】本考案に係るカード用コネクタの一部の分解斜視図である。
【図５】本考案に係るカード用コネクタのコネクタ本体の斜視図である。
【図６】本考案に係るカード用コネクタが回路基板に直交に実装される斜視図である。
【符号の説明】
【００２４】
１  コネクタ本体
２  導電端子
３、３’保持部材
４  排出機構
５  フレーム
６  回路基板
１１  基部
１１０  先端部
１２  延出アーム
１３  ガイド溝
１３２  下壁
１３２  上壁
１４  対応接触部
１４０  端子溝
１５  固持片
１６  凸柱部
１７、１８、１９  凹部
２１  接触部
２２  半田付け部
２３  固持部
３１  主体部
３２  突出片
３３  垂直片
３４  保持片
３５、３６  開口  ４１  弾性ばね
４２  連動部材
４２１  支持片
４２２  孔
４２３  切り欠き部
４３  イジェクトレバー
４３２  折曲片
４４  ベース
４４１  レール
４４３  突出部
４４４  支持部
４５  スライド部材
５１  頂壁
５１１  凹片
５２、５３、５５、５６  側壁
５２１、５２２、５２３、５２４、５２５  弾性片
５４  底壁
５４１  凹片
５４２  スロット
５５１、５６１  係止片
５５２、５５３、５６２、５６３  凸部
５７  収容空間
【図１】
0003116276.tif 000003
【図２】
0003116276.tif 000004
【図３】
0003116276.tif 000005
【図４】
0003116276.tif 000006
【図５】
0003116276.tif 000007
【図６】
0003116276.tif 000008